(57)【要約】【課題】上下フラップだけでは整流しきれない吹出風を整流し、風向変更効果を向上させること。【解決手段】風向きを左右に変更する左右フラップ１２の複数の左右羽根１３を左右に連動して回動させるために連結する連結桟１５を上下フラップ１１に略平行に配設し、且つ連結桟１５の断面を略翼形状とすることにより、連結桟１５が羽根の代用となって上下フラップ１１だけでは整流しきれない吹出風を整流し、風向変更効果を向上させることができる。【選択図】図１
2007040575.tif 000002
【特許請求の範囲】
【請求項１】
ファンケースに連なる吹出口と、前記吹出口に風向きを上下に変更する上下フラップと風向きを左右に変更する左右フラップとを備え、前記左右フラップは、複数の左右羽根と、前記複数の左右羽根を左右方向に移動可能に支持すると共に前記上下フラップの上下方向の回動に連動して前記左右フラップを送風方向の上流側または下流側に移動させるよう前記上下フラップと接続される支持桟と、前記複数の左右羽根を左右に連動して回動させるために連結する連結桟とからなり、前記連結桟は断面が略翼形状でかつ前記上下フラップに略平行に配設されたことを特徴とする空気調和機の風向変更装置。
【請求項２】
吹出口の上下端間の中心を通る仮想的な面で前記吹出口を上下の二領域に分割し、上下フラップの回動軸中心と連結桟を、前記の各々異なる領域に設けたことを特徴とする、請求項１に記載の空気調和機の風向変更装置。
【請求項３】
連結桟は、吹出風の流れ方向に対して左右羽根の中央部より吹出風の上流側に設けたことを特徴とする、請求項１または２に記載の空気調和機の風向変更装置。
【請求項４】
連結桟の吹出風の流れ方向の幅は少なくとも上下フラップの吹出風の流れ方向の幅の１／４以上である事を特徴とする、請求項１〜３のいずれか１項に記載の空気調和機の風向変更装置。
【発明の詳細な説明】
【技術分野】
【０００１】
本発明はフラップに連結桟を有する空気調和機の風向変更装置に関するものである。
【背景技術】
【０００２】
従来、この種の空気調和機の風向変更装置は上下方向に風向を設定する上下フラップと左右方向に風向を設定する左右フラップとを組み合わせて室内機の吹出口に配置し、左右フラップは複数の左右羽根が連結部材によって連結された構成となっている。
【０００３】
左右フラップの取付方法には、左右フラップの送風通路への取り付け位置が固定されて上下フラップを動作させる方式と、上下フラップの動作と連動して左右フラップの位置が変わる方式とがある（例えば、特許文献１参照）。
【０００４】
図４は、特許文献１に記載された従来の空気調和機の要部縦断面図、図５は、特許文献１に記載された従来の風向変更装置の要部斜視図、図６は特許文献１に記載された従来の左右フラップの断面図を示すものである。図５に示すように、上下フラップ１１と、連結桟１５で連結した複数の左右羽根１３からなる左右フラップ１２と、複数の左右羽根１３を移動可能に支持し、上下フラップ１１に回動可能に取り付けられる支持桟１４とから構成されている。
【特許文献１】特開２００２−２９５８８９号公報
【発明の開示】
【発明が解決しようとする課題】
【０００５】
しかしながら、前記従来の構成では、上下フラップの回動軸が上下フラップの中心部付近でなく、吹出口の上端または下端に偏っているため、上下フラップの開度が大きい時には吹出風の一部を整流しきれず、風向変更効果を低下するという課題を有していた。
【０００６】
前記特許文献１の例では、上下フラップの回動軸は吹出口の上端側寄りにあるため、吹出風の主流が下向きの場合など、上下フラップを上向けにしても吹出口下端側の吹出風を整流しきれない可能性がある。特に冷房運転時、暖房起動時で送風量が少ない状態においては、冷やされた吹出風は比重が大きく大半は吹出口の下方部を通過するので吹出風を上向きに吹出すことが困難になり、風向変更効果を低下させていた。
【０００７】
本発明は、前記従来の課題を解決するもので、上下フラップだけでは整流しきれない吹出風を整流し、風向変更効果を向上させた空気調和機の風向変更装置を提供することを目的とする。
【課題を解決するための手段】
【０００８】
前記従来の課題を解決するために、本発明の空気調和機の風向変更装置は、風向きを左右に変更する左右フラップの連結桟を上下フラップに略平行に配設し、且つ連結桟断面を略翼形状としたものである。
【０００９】
これによって、連結桟が羽根の代用となって上下フラップだけでは整流しきれない吹出風を整流し、風向変更効果を向上させることができる。
【発明の効果】
【００１０】
本発明の空気調和機の風向変更装置は、吹出風を整流し、風向変更効果を向上することにより、効率よく空調を行うことが出来、ユーザーの要求により早く応えることのできる
空気調和気を提供することができる。
【発明を実施するための最良の形態】
【００１１】
第１の発明は、風向きを左右に変更する左右フラップの連結桟を上下フラップに略平行に配設し、且つ連結桟断面を略翼形状とすることにより、連結桟が吹出風を整流し、風向変更効果を向上させることができる。
【００１２】
第２の発明は、特に、第１の発明の連結桟と上下フラップの回動軸中心を、吹出口の上下端間の中心を通る仮想的な面で吹出し口を上下の二領域に分割したとき、各々異なる領域に設けたことにより、連結桟が吹出風を整流し、風向変更効果をより向上させることができる。
【００１３】
第３の発明は、特に、第１または第２の発明の連結桟を吹出風の流れ方向に対して左右羽根の中央部より吹出風の上流側に設けたことにより、連結桟が吹出風を整流し、風向変更効果をより向上させることができる。
【００１４】
第４の発明は、特に、第１〜３のいずれか１つの発明の連結桟の吹出風の流れ方向の幅を少なくとも上下フラップの吹出風の流れ方向の幅の１／４以上とすることにより、連結桟が吹出風を整流し、風向変更効果をより向上させることができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における空気調和機の要部縦断面図を示すものである。
【００１７】
図１において、空気調和機の本体１は、ファンケース２とスタビライザ３および吸入グリル４で送風通路６を構成している。室内空気５は送風通路６に配備した送風ファン７により、吸入グリル４から吸入され、熱交換器８で熱交換されて送風通路６の下流側のファンケース２とスタビライザ３により形成される送風通路６を通り、吹出口９から風向変更装置本体１０を経由して室内に送風される。
【００１８】
図２は、本発明の第１の実施の形態における左右フラップの平面図、図３は本発明の第１の実施の形態における左右フラップの断面図を示すものである。
【００１９】
図２、図３において、左右フラップ１２は複数の左右羽根１３と、それらを連結する連結桟１５と、複数の左右羽根１３を移動可能に支持し、上下フラップ１１に回動可能に取り付けられる支持桟１４とで構成されている。
【００２０】
左右羽根１３には支持桟１４に設けられた嵌め込み穴１６に左右羽根１３を嵌め込み左右に移動可能とする羽根軸１７と、連結桟１５に設けられた固定穴１８と回転可能に支持固定される固定軸１９が設けられている。複数の左右羽根１３はこれらの羽根軸１７及び固定軸１９のそれそれで、支持桟１４と連結桟１５とに結合されている。このような構造によって、一部の左右羽根の向きを変えることで複数の羽根を同じ方向に向かせることができ、左右方向に風向を調節できるようになっている。
【００２１】
また、上下フラップ１１の上下方向の回動に連動して左右フラップ１２を送風方向の上流側または下流側に移動させるようになっている。
【００２２】
連結桟１５は上下フラップ１１に略平行に配設し、且つ連結桟１５の断面は略翼形状となっている。また、上下フラップ１１の回動軸が吹出口９の上端側寄りにあるのに対し、連結桟１５は正面視で上下方向に対して左右羽根１３の中央部より、吹出口９の下端側に設けられ、吹出風の流れ方向に対しては左右羽根１３の中央部より吹出風の上流側に設けられている。更に、連結桟１５の吹出風の流れ方向の幅は少なくとも上下フラップ１１の吹出風の流れ方向の幅の１／４以上である。
【００２３】
以上のように構成された左右フラップについて、連結桟が羽根の代用となって上下フラップだけでは整流しきれない吹出風を整流し、風向変更効果を向上することにより、効率よく空調を行うことが出来、ユーザーの要求により早く応えることのできる空気調和機を提供することができる。
【００２４】
特に、近年の室内機薄型化の要望に対し、薄型化によってファンケースの勾配が大きくなることで吹出風の主流が下向きになりやすく、更に冷房運転時、暖房起動時で送風量が少ない状態においては、冷やされた吹出風は比重が大きく大半は吹出口の下方部を通過するので吹出風を上向きに吹出すことが困難となる場合に吹出風を整流し、風向変更効果を向上することができる。
【００２５】
また、本実施の形態の上下フラップ１１の回動軸が、吹出口９の下端側寄りにある場合にはそれに対し、連結桟１５は正面視で上下方向に対して左右羽根１３の中央部より、吹出口９の上端側に設けることによって、連結桟が羽根の代用となって上下フラップだけでは整流しきれない吹出風を整流し、風向変更効果を向上することにより、効率よく空調を行うことが出来、ユーザーの要求により早く応えることのできる空気調和機を提供することができる。
【産業上の利用可能性】
【００２６】
以上のように、本発明にかかる空気調和機の風向変更装置は、連結桟が羽根の代用となって上下フラップだけでは整流しきれない吹出風を整流し、風向変更効果の向上が可能となるので、上下フラップを有する送風機や、除湿機、ファンヒーター等の用途にも適用できる。
【図面の簡単な説明】
【００２７】
【図１】本発明の実施の形態１における空気調和機の要部縦断面図
【図２】本発明の実施の形態１における左右フラップの平面図
【図３】本発明の実施の形態１における左右フラップの断面図
【図４】従来の空気調和機の要部縦断面図
【図５】従来の風向変更装置の要部斜視図
【図６】従来の左右フラップの断面図
【符号の説明】
【００２８】
１  本体
２  ファンケース
３  スタビライザ
４  吸入グリル
５  室内空気
６  送風通路
７  送風ファン
８  熱交換器
９  吹出口
１０  風向変更装置
１１  上下フラップ
１２  左右フラップ
１３  左右羽根
１４  支持桟
１５  連結桟
１６  嵌め込み穴
１７  羽根軸
１８  固定穴
１９  固定軸
【図３】
2007040575.tif 000003
【図６】
2007040575.tif 000004
【図１】
2007040575.tif 000005
【図２】
2007040575.tif 000006
【図４】
2007040575.tif 000007
【図５】
2007040575.tif 000008